(57)【要約】【課題】ミキサ装置において、明るさの変更内容に合わせて画面表示の色合いや濃淡などに関するコントラストを自動的に調整し、種々の環境下で画面を見易く鮮明に表示する。【解決手段】このミキサ装置の画面照度調整システムでは、カラーＬＣＤ画面の明るさの複数段階に夫々対応付けられた複数のパレットＰＬ１〜ＰＬ３が記憶手段に予め記憶されており、画面の明るさを複数段階Ｈｉｇｈ，Ｍｉｄ．，Ｌｏｗに変更可能な明るさ変更操作部が備えられる。明るさ変更操作部の操作子ＮＢのユーザ操作により明るさ変更が指示されると、その変更内容が検出され、検出された変更内容に応じてバックライトＢＬの明るさが変更されると共に、検出された変更内容に応じた段階のパレットＰＬ１〜ＰＬ３が記憶手段から選択され、選択されたパレットＰＬ１〜ＰＬ３の色合い及び輝度制御データＬＭ，ＣＨに従って描画の色合いや輝度が変更され、最適なコントラストに調整される。【選択図】図２
2006178131.tif 000002
【特許請求の範囲】
【請求項１】
画面の明るさの複数段階に夫々対応付けられた複数のパレットを記憶した記憶手段と、
画面の明るさの変更を指示するための指示手段と、
上記指示手段により指示された明るさの変更内容を検出する検出手段と、
上記検出手段により検出された明るさの変更内容に応じて画面の明るさを変更する明るさ変更手段と、
上記記憶手段から、上記検出手段により検出された明るさの変更内容に応じた段階のパレットを選択する選択手段と、
上記選択手段により選択されたパレットに従って画面表示の色合い及び輝度を制御する制御手段と
を具備することを特徴とするミキサ装置における画面照度調整装置。
【請求項２】
画面の明るさの複数段階に夫々対応付けられた複数のパレットを記憶した記憶手段と画面の明るさの変更を指示するための指示手段とを具備するミキサ装置に、
上記指示手段により指示された明るさの変更内容を検出する検出ステップと、
上記検出ステップで検出された明るさの変更内容に応じて画面の明るさを変更する明るさ変更ステップと、
上記記憶手段から、上記検出ステップで検出された明るさの変更内容に応じた段階のパレットを選択する選択ステップと、
上記選択ステップで選択されたパレットに従って画面表示の色合い及び輝度を制御する制御ステップと
から成る手順を実行させるミキサ装置における画面照度調整プログラム。
【発明の詳細な説明】
【技術分野】
【０００１】
この発明は、ディジタルオーディオミキサ等の音響信号用ミキサ装置において種々の環境下で表示画面を見易く鮮明にするための画面照度調整システムに関する。
【背景技術】
【０００２】
従来より、ディジタルオーディオミキサのような音響信号用ミキサ装置では、カラーディスプレイがユーザインターフェースに用いられている。通常、このようなミキサ装置は、コンサート会場や演劇の舞台で使用され、照明の演出や暗転などにより使用環境が明／暗に大きくしかも頻繁に変化するので、ユーザが使用環境の明るさに応じてディスプレイ画面の明るさを変えることができるようにしている。
【０００３】
このため、例えば、非特許文献１に示されるミキサ装置では、ユーザが手動でカラーＬＣＤ（液晶表示器）のバックライトの明るさを選択することができ、これによりＬＣＤ画面の明るさを変化させて表示内容を視認し易くなるように構成されている。
【非特許文献１】YAMAHA DIGITAL MIXING CONSOLE ＰＭ５Ｄ／ＰＭ５Ｄ−ＲＨ  取扱説明書（２００４年、第１８４頁“LCD BACK LIGHT”）
【０００４】
しかしながら、このような従来技術では、バックライトの明るさのみを変更するようにしているので、画面に表示されている文字などの表示内容の輝度コントラスト（濃淡の差又は比）は変わらず、また、バックライトの明るさを変更することで却って色調（色合い）の差が小さくなったように感じられ、表示内容が見えにくくなることがある。
【発明の開示】
【発明が解決しようとする課題】
【０００５】
この発明は、このような事情に鑑み、ミキサ装置におけるディスプレイについて、画面の明るさの変更内容に合わせて画面表示の色合いや濃淡などに関するコントラストを自動的に調整することにより、種々の環境下で画面を見易く鮮明に表示することができる画面照度調整システムを提供することを目的とする。
【課題を解決するための手段】
【０００６】
この発明の主たる特徴に従うと、画面の明るさの複数段階に夫々対応付けられた複数のパレットを記憶した記憶手段（３，４）と、画面の明るさの変更を指示するための指示手段（１０ａ）と、指示手段（１０ａ）により指示された明るさの変更内容を検出する検出手段（Ｓ１）と、検出手段により検出された明るさの変更内容に応じて画面の明るさを変更する明るさ変更手段（Ｓ１）と、記憶手段（３，４）から、検出手段（Ｓ１）により検出された明るさの変更内容に応じた段階のパレット（ＰＬ１〜ＰＬ３）を選択する選択手段（Ｓ３）と、選択手段（Ｓ３）により選択されたパレットに従って画面表示の色合い及び輝度を制御する制御手段（Ｓ４）とを具備するミキサ装置における画面照度調整装置〔請求項１〕、並びに、画面の明るさの複数段階に夫々対応付けられた複数のパレットを記憶した記憶手段（３，４）と画面の明るさの変更を指示するための指示手段（１０ａ）とを具備するミキサ装置（コンピュータ）に、指示手段（１０ａ）により指示された明るさの変更内容を検出する検出ステップ（Ｓ１）と、検出ステップ（Ｓ１）で検出された明るさの変更内容に応じて画面の明るさを変更する明るさ変更ステップ（Ｓ１）と、記憶手段から、検出ステップ（Ｓ１）で検出された明るさの変更内容に応じた段階のパレット（ＰＬ１〜ＰＬ３）を選択する選択ステップ（Ｓ３）と、選択ステップ（Ｓ３）で選択されたパレットに従って画面表示の色合い及び輝度を制御する制御ステップ（Ｓ４）とから成る手順を実行させるミキサ装置における画面照度調整プログラム〔請求項２〕が提供される。なお、括弧書きは、実施例における参照記号等を表わす。
【発明の効果】
【０００７】
この発明によるミキサ装置における画面照度調整システムでは、画面の明るさの複数段階に夫々対応付けられている複数のパレット（ＰＬ１〜ＰＬ３）を記憶手段（３，４）に記憶しておき、明るさの変更を指示するための指示手段（１０ａ）を設け、指示手段（１０ａ）により明るさの変更が指示されると、その変更内容を検出し（Ｓ１）、明るさの変更内容に沿って画面の明るさを変更する（Ｓ１）と共に、明るさの変更内容に応じたパレット（ＰＬ１〜ＰＬ３）を記憶手段（３，４）から選択して（Ｓ３）当該パレット（ＰＬ１〜ＰＬ３）に従って画面表示の色合いや濃淡を変更するように構成している。
【０００８】
従って、この発明の画面照度調整システムによれば、ミキサ装置の使用環境が明／暗に変化した場合には、明るさの変更を指示することにより、ＬＣＤディスプレイのバックライトの明るさを変更して画面の明るさが変更されるだけでなく、画面の明るさの変更に合わせて描画像の色合いや輝度に関するコントラストが自動的に調整されるので、明／暗に変化する種々の使用環境にも拘わらずディスプレイ画面を見易く鮮明に表示することができる。つまり、バックライトの明るさを変更したときに画面表示の明瞭度が自動的に保持されるので、バックライトの明るさを変更しても表示内容が見えにくくなることがない。
【発明を実施するための最良の形態】
【０００９】
以下、図面を参照しつつこの発明の好適な実施の一形態について説明する。しかしながら、これは単なる一例であって、この発明は、発明の精神を逸脱しない範囲で種々の変更が可能である。
【００１０】
〔システムの概要〕
図１は、この発明の一実施例による画面照度調整システムが構築されるディジタルオーディオミキサ（以下、ミキサ装置という）のハードウエア構成のブロック図を示す。このミキサ装置は、一種のコンピュータであって、中央処理装置（ＣＰＵ）１、ランダムアクセスメモリ（ＲＡＭ）２、読出専用メモリ（ＲＯＭ）３、外部記憶装置４、検出回路５、表示回路６、信号処理回路７、通信インターフェース（Ｉ／Ｆ）８などを備え、これらの装置１〜８は通信バス９を介して互いに接続されている。
【００１１】
ＣＰＵ１、ＲＡＭ２、ＲＯＭ３、外部記憶装置４、検出回路５及び表示回路６は、検出回路５に接続される操作部１０及び表示回路６に接続される表示部１１と共にミキサのコントロールセクションを構成する。ＣＰＵ１は、所定のソフトウエア・プログラムに従ってミキサ全体を管制し、例えば、信号処理回路７によるミキシング処理を管理し、表示部（１１）の画面の明るさ変更に関する制御処理を遂行する。ＲＡＭ２には、これらの処理に際して必要な各種データを一時記憶するためのワーク領域として用いられる。
【００１２】
ＲＯＭ３には、ミキシング処理などに関する所定の制御プログラムや制御データが記憶されている。また、外部記憶装置４は、ハードディスク（ＨＤ）、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、メモリカード（ＰＣカード）等の記憶媒体が用いられ、ＲＯＭ３と同様に、各種制御プログラムや各種制御データを記憶することができる。ＲＯＭ３乃至外部記憶装置４に記憶される制御プログラムには、画面の明るさ変更に関する制御処理を実行するためのプログラムが含まれ、制御データには、複数のパレットＰＬ１〜ＰＬ３から成る描画制御用配色パレットＰＬや色合い変更テーブルなどが含まれる。
【００１３】
操作部１０は、ミキシングやパラメータ設定のためのスイッチ、ダイヤル、フェーダ（スライダー）やマウス等の操作子を含む各種操作部から成り、ミキサ装置本体の操作パネル等に設けられる。操作部１０のユーザ操作に応じて設定される各種パラメータ等の制御データは、操作内容を検出する検出回路５を通じて表示回路６或いは信号処理回路７に送られる。
【００１４】
各種操作部には、画面の明るさ変更を指示するための、明るさ変更操作子ＮＢを有する明るさ変更操作部１０ａや、ＬＣＤ画面自体の輝度を複数段階に変更して輝度コントラストを手動で調整するための輝度変更操作部、パレット使用モードや輝度制御連動モードを設定するための操作部（何れも図示せず）が含まれ、パレット使用モードが設定されているときは、明るさ変更操作子ＮＢの操作に応じて選択されるパレットＰＬ１〜ＰＬ３に従って表示部１１の画面の色合いや輝度が制御され、輝度制御連動モードが設定されているときには、明るさ変更操作子ＮＢの操作に応じて画面の輝度が制御される。
【００１５】
表示部１１は、操作パネル上に設けられたカラーＬＣＤ（液晶ディスプレイ）１１ａや、ＬＥＤランプ・各種インジケータ等（図示せず）を備え、表示回路６は、検出回路５や通信Ｉ／Ｆ８からの制御データに基づく内容を表示部１１に表示させる。ＬＣＤ１１ａは、画面の明るさを制御するためのバックライトＢＬを備える。なお、前述した明るさ変更操作部１０ａなどの各種操作部は、操作子をマウス等で操作可能にしてＬＣＤ１１ａ上に表示し、所謂“ソフトウエア操作部”で構成してもよい。
【００１６】
信号処理回路７は、ＤＳＰエンジンを主要素としたミキサ装置の信号処理の中枢部であり、操作部１０の操作に基づく設定状態に応じて、オーディオ入出力インターフェース（Ｉ／Ｆ）１２からの複数チャンネルの入力オーディオ信号をミキシング処理し、処理された各チャンネルの出力オーディオ信号を入出力Ｉ／Ｆ１２に返す。オーディオ入出力Ｉ／Ｆ１２は、Ａ／Ｄ変換及びディジタルアナログＤ／Ａ変換機能を備え、外部オーディオ入出力機器Ｂとの間で複数チャンネルの入出力オーディオ信号を中継する。
【００１７】
通信Ｉ／Ｆ８は、外部機器Ｃから通信Ｉ／Ｆ８を介して制御データを含む各種データや制御プログラムを受信することができる。外部制御機器Ｃとしては、さらに、ローカルエリアネットワーク（ＬＡＮ）やインターネット、電話回線等の通信ネットワークを介して接続されるサーバコンピュータとすることもできる。
【００１８】
なお、このミキサ装置は、ＲＯＭ３に制御プログラムが記憶されていない場合、外部記憶装置（ＨＤやＣＤ−ＲＯＭ）４に制御プログラムやデータを記憶させておいてそれをＲＡＭ２に読み込んだり、通信ネットワークを介してサーバコンピュータＣと接続してサーバコンピュータＣから制御プログラムやデータをダウンロードすることで、ＲＯＭ３に制御プログラムやデータを記憶している場合と同様の動作をＣＰＵにさせることができる。
【００１９】
〔バックライトの明るさ変更に応じた描画制御〕
この発明において、「画面照度調整」とは、画面の明るさ（照度）に合わせて画面の描画特性を調整することを意味する。この発明の一実施例による画面照度調整システムでは、カラーＬＣＤ画面の照度を調整するのに、バックライトの明るさを変更する方法と配色パレットを変更する方法を併用し、バックライトの明るさを変更したとき、それに合わせて、配色パレットで規定されている描画制御内容に従ってカラーＬＣＤ自体の色合い（色相）及び輝度（濃淡）に関するコントラストを調整することにより、バックライトの明るさを変更した場合に、カラーＬＣＤで描画される表示内容の明瞭度を保持する。
【００２０】
図２は、この発明の一実施例によるミキサ装置の画面照度調整システムにおけるＬＣＤバックライトの明るさと利用されるパレットとの対応関係を説明するための図である。図２の例では、カラーＬＣＤ１１ａのバックライトＢＬの明るさを３段階に設定し、これに対応して、操作部１０に設けられた明るさ変更操作部１０ａは３つの位置情報を指示することができ、記憶手段（ＲＯＭ３又は外部記憶装置４）に記憶される描画制御用配色パレットＰＬとして３段階のパレットＰＬ１〜ＰＬ３が用意される。
【００２１】
明るさ変更操作部１０ａは、図１に示すように、ユーザ操作により第１位置Ｈｉｇｈと第３位置Ｌｏｗの間を移動可能な明るさ変更操作子ＮＢを備え、例えば、ミキサ装置の使用環境が明るくなった場合に変更操作子ＮＢを第３位置Ｌｏｗに移動し、逆に、暗くなった場合には第１位置Ｈｉｇｈに移動することができる。図２の上段は、変更操作子ＮＢのユーザ操作により得られる位置情報と明るさ指示情報を表わす。すなわち、バックライトＢＬに対して、第１位置Ｈｉｇｈでは「高照度」を指示し（第１欄：左欄）、第２位置Ｍｉｄ．では「中照度」を指示し（第２欄：中欄）、そして、第３位置Ｌｏｗでは「低照度」を指示する（第３欄：右欄）。
【００２２】
図２の中段は、変更操作子ＮＢの位置に対応するバックライトＢＬの明るさを表わし、バックライトＢＬが、変更操作子ＮＢの第１位置Ｈｉｇｈに対応して「明るく」点灯され、第２位置Ｍｉｄ．に対応して「中間（中程度）」の明るさになるように点灯され、第３位置Ｌｏｗに対応して「暗く」点灯されることを示している。
【００２３】
配色パレットＰＬには３段階のパレットＰＬ１〜ＰＬ３が用意され、図２の下段に示すように、変更操作子ＮＢの第１乃至第３位置Ｈｉｇｈ〜Ｌｏｗ（上段）やバックライトＢＬに対する３段階の明るさ指示：「明」〜「暗」（中段）に対応して、夫々、３段階のパレットＰＬ１〜ＰＬ３が利用される。各パレットＰＬ１〜ＰＬ３には、カラーＬＣＤ１１ａに画面を描画する際における描画色の色合い及び輝度を夫々制御するための色合い制御データＣＨ及び輝度制御データＬＭが設定されている。
【００２４】
ここで、「色合い」とは、ＬＣＤ１１ａで表現可能な描画色の種類を言い、色相や色調などとも呼ばれる。色合い制御データＣＨは、ＬＣＤ１１ａの表示画面に使用される原画データの各色に対応して色合いの変更の仕方を規定するものであり、これによって、或る画面の原画をＬＣＤ１１ａ上に描画する際、原画の色と同じ色合いの描画色にしたり或いは原画の色に類似する色合いの描画色に変更することができる。
【００２５】
一例を挙げると、多数の色について、原画の各色と各原画色に類似するが濃い色合いの各描画色とを対応付けた第１色合い変更テーブルと、原画の各色と各原画色に類似するが薄い色合いの各描画色とを対応付けた第２色合い変更テーブルとを用意しておく。そして、色合い制御データＣＨが「中間」の色合いを指定しているときは原画の各色をそのまま描画色とするが、色合い制御データＣＨが「濃い」色合いを指定しているときは、第１色合い変更テーブルに従って原画の各色を濃い色合いの描画色に変更し、色合い制御データＣＨが「薄い」色合いを指定しているときには、第２色合い変更テーブルに従って原画の各色を薄い色合いの描画色に変更する。
【００２６】
また、輝度制御データＬＭは、各描画色の輝度を原画の輝度から変化させる割合（濃淡比）を規定するものであり、この割合は「輝度コントラスト」と呼ばれる。例えば、輝度制御データＬＭが「中間」の輝度コントラストを指定しているときは原画の輝度でそのまま（輝度コントラスト＝０）描画するが、輝度制御データＬＭが「高い」輝度コントラストを指定しているときは、原画の輝度を所定割合（例えば、＋２０％）で増大して描画し、輝度制御データＬＭが「低い」輝度コントラストを指定しているときには原画の輝度を所定割合（例えば、−２０％）で低下して描画する。
【００２７】
さて、図２の下段の例では、バックライトＢＬに「中間」の明るさを指示した場合（第２欄：中欄）、第２パレットＰＬ２を利用し、その色合い制御データＣＨ及び輝度制御データＬＭで設定されている「中間」の色合い及び「中間」の輝度コントラストで表示画面を描画する。つまり、この場合は、第２パレットＰＬ２の制御データＣＨ，ＬＭに従って、ＬＣＤ１１ａの表示画面に対して予め用意された原画データに対して標準的な色合い及び輝度コントラストで当該表示画面の描画を制御すべきことを指令する。
【００２８】
例えば、表示画面に使用される原画データ自体の色合い及び輝度が、バックライトＢＬが中間の明るさで点灯しているＬＣＤ１１ａに描画した際に最適なコントラストを持つように設定されている場合には、原画データに従ってそのまま描画しても画面の表示要素は色及び濃淡を明瞭に区別することができるので、色合い及び輝度を原画から変更しないで描画する。
【００２９】
これに対して、バックライトＢＬに「明るく」或いは「暗く」点灯すべきことを指示した場合には、色合い及び輝度コントラストが標準的なものから若干変更されたパレットＰＬ１，ＰＬ３が利用される（第１，３欄）。つまり、画面が明るくなったり暗くなった場合、描画の色合いや輝度コントラストを原画データのままにしておくと、画面に表示される要素（描画像）の間で色や濃度が互いに区別しにくくなってしまうが、パレットＰＬ１，ＰＬ３を利用することにより色合い及び輝度コントラストが変更されるので、画面が明るくなっても暗くなっても明瞭度が維持され、表示要素間の色や濃淡を明瞭に区別することができる。
【００３０】
例えば、バックライトＢＬの明るさが「明るく」なるように指示した場合は、第１欄（左欄）に示される第１パレットＰＬ１の制御データＣＨ，ＬＭの設定に従って、第２パレットＰＬ２（第２欄）で設定されている「中間」よりも「濃い」色合い及び「高い」輝度コントラストで表示画面を描画する。
【００３１】
つまり、色合いについては、第２パレットＰＬ２による標準的な色合い（例えば、原画の色合い）より濃い色合いの描画色に変更し、例えば、「中間」の色合いが「緑色」であれば、上述した第１色合い変換テーブルに従ってこれよりも若干「濃い」色合いの「青緑っぽい緑色」に変更する。また、輝度については、例えば、「中間」の輝度コントラストが“０”（輝度を原画から変更しない）であれば、原画に対する輝度コントラストの設定値を“＋２０”（％）としてこの設定値だけ輝度を増大するというように、第２パレットＰＬ２による標準的な輝度コントラスト（例えば、“０”）から所定の割合で高める。
【００３２】
また、バックライトＢＬの明るさが「暗く」なるように指示した場合には、第３欄（右欄）に示される第３パレットＰＬ３の制御データＣＨ，ＬＭの設定に従って、第２パレットＰＬ２（第２欄）で設定されている「中間」よりも「薄い」色合い及び「低い」輝度コントラストで表示画面を描画する。
【００３３】
つまり、色合いについては、第２パレットＰＬ２による標準的な色合い（例えば、原画の色合い）より薄い色合いの描画色に変更し、例えば、「中間」の色合いが「緑色」であれば、上述した第２色合い変換テーブルに従ってこれよりも若干「薄い」色合いの「黄色っぽい緑色」に変更する。また、輝度については、例えば、「中間」の輝度コントラストが“０”（輝度を原画から変更しない）であれば、原画に対する輝度コントラストの設定値を“−２０”（％）としてこの設定値だけ輝度を減少するというように、第２パレットＰＬ２による標準的な輝度コントラスト（例えば、“０”）から所定の割合で低くする。
【００３４】
このミキサ装置の画面照度調整システムの要点は、極く簡単に言えば、次のとおりである：このシステムでは、画面の明るさの複数段階に夫々対応付けられた複数のパレットＰＬ１〜ＰＬ３が記憶手段に予め記憶されており、カラーＬＣＤ１１ａの画面の明るさを複数段階Ｈｉｇｈ，Ｍｉｄ．，Ｌｏｗに変更可能な明るさ変更操作部１０ａが備えられる。ユーザが明るさ変更操作部１０ａの操作子ＮＢを操作することによって明るさ変更が指示されると、指示された明るさ変更の内容が検出され、検出された明るさの変更内容に応じてバックライトＢＬの明るさが変更される。この変更と共に、検出された明るさの変更内容に応じた段階のパレットＰＬ１〜ＰＬ３が記憶手段から選択され、選択されたパレットＰＬ１〜ＰＬ３の色合い制御データＣＨ及び輝度制御データＬＭに従って、描画される画面の色合いや輝度が変更され、最適なコントラストに調整される。
【００３５】
〔処理フロー例〕
図３は、この発明の一実施例によるバックライトの明るさ変更時の動作例を表わすフローチャートである。この動作フローは、明るさ変更操作部１０ａの操作子ＮＢをユーザが手動操作することに基づいてカラーＬＣＤ１１ａのバックライトＢＬの明るさを変更する場合の処理動作を表わし、この処理動作により、ＬＣＤ１１ａに表示される画面の色合いや輝度について最適なコントラストが得られるように自動的に調整することができる。
【００３６】
この動作フローは、明るさ変更操作子ＮＢを操作してバックライトＢＬの明るさの変更指示を検出したときに起動する。まず、最初のステップＳ１では、検出回路５の操作検出機能によって、明るさ変更操作子ＮＢの操作内容から、対応する明るさの変更内容を検出し、検出された変更内容に従ってバックライトＢＬの明るさを変更する。次のステップＳ２では、描画制御用配色パレットＰＬの使用が設定されているか否か即ちパレット使用モードが設定されているか否かを判定する。
【００３７】
ここで、パレット使用モードが設定されていないと判定したときは（Ｓ２→ＮＯ）、直ちにこの処理動作を終了する。なお、このときには（Ｓ２・ＮＯ→エンド）、更に輝度制御連動モードが設定されているか否かを判定し、輝度制御連動モードが設定されている場合は、明るさ変更操作子ＮＢの操作位置に対応する輝度コントラスト（例えば、図２の輝度制御データＬＭの内容と同じ値）でＬＣＤ１１ａの輝度を調整し、これに伴い、輝度変更操作部の操作子位置は、当該輝度コントラストに相当する位置に自動的に移動される。
【００３８】
また、輝度制御連動モードが設定されていていない場合には、明るさ変更操作子ＮＢの操作が無効になり、輝度変更操作部の手動操作によってＬＣＤ１１ａの輝度コントラストを調整することができる。或いは、パレット使用モード或いは輝度制御連動モードの設定を行った上、再度、明るさ変更操作子ＮＢを操作することによって、この動作フローに入ることもできる。
【００３９】
さて、配色パレットＰＬの使用（パレット使用モード）が設定されている場合は、既にＲＯＭ３又は外部記憶装置４のパレット記憶領域からＲＡＭ２にパレットＰＬ１〜ＰＬ３がロードされているので、配色パレットＰＬの使用が設定されていると判定したときには（Ｓ２→ＹＥＳ）、これらパレットＰＬ１〜ＰＬ３の中から、検出された明るさの変更内容に対応するパレットを選択する。
【００４０】
そして、ステップＳ４において、選択されたパレットＰＬ１〜ＰＬ３における色合い制御データＣＨ及び輝度制御データＬＭの内容に従って描画色及び描画輝度を調整し、その後、この動作フローを終了する。
【００４１】
例えば、ユーザは、このミキサ装置を「中間」の明るさ環境で使用している場合には、明るさ変更操作子ＮＢを中間の第２位置Ｍｉｄ．に置いて、バックライトＢＬを「中間」の明るさで点灯させる。このとき、ＬＣＤ１１ａの画面は、「中間」の明るさをもち、第２パレットＰＬ２の色合い制御データＣＨ及び輝度制御データＬＭに従った色合い及び輝度で描画されて最適のコントラストになっている。
【００４２】
ここで、ミキサ装置の使用環境が暗くなったときは、ユーザが明るさ変更操作子ＮＢを第１位置Ｈｉｇｈに移動する操作を行う。これにより、バックライトＢＬは明るくなると共に（Ｓ１）、第１パレットＰＬ１が選択されるので（Ｓ３）、第１パレットＰＬ１の色合い制御データＣＨ及び輝度制御データＬＭに従って画面の描画色は濃い色合いに変更され輝度コントラストが高められる（Ｓ４）。従って、画面はその明るさに合った最適のコントラストに調整され、ユーザは、使用環境が暗く変化したにも拘わらず、画面表示の内容を明瞭に把握することができる。
【００４３】
一方、ミキサ装置の使用環境が明るくなったときは、ユーザが明るさ変更操作子ＮＢを第３位置Ｌｏｗに移動する操作を行う。これにより、バックライトＢＬは暗くなると共に（Ｓ１）、第３パレットＰＬ３が選択されるので（Ｓ３）、第３パレットＰＬ３の色合い制御データＣＨ及び輝度制御データＬＭに従って画面の描画色は薄い色合いに変更され輝度コントラストが低められる（Ｓ３）。このため、画面はその明るさに合った最適のコントラストに調整され、ユーザは、明るい環境に変化したにも拘わらず画面表示の内容を明瞭に把握することができる。
【００４４】
〔種々の実施態様〕
以上、この発明の一実施例について説明したが、種々の変更が可能であり種々の態様で実施することができる。例えば、実施例においてはバックライト（ＢＬ）の明るさの変更段階を３段階としているが、２段階としても或いは４段階以上にしてもよい。
【００４５】
また、バックライトの明るさ変更に応じて色合いを変更するのに、実施例では色合い変更テーブルを使用しているが、所定のルールに従って演算する方法を用いてもよい。例えば、ＲＧＢ３原色を含む多数の描画色は、色合いの類似性に従って円環状に配列して色番号で表現することができるので、色合い制御データＣＨで規定される色合いの変更の仕方に応じて、円環状配列において原画の色から所定方向に所定距離だけ離れた色番号を求めることにより、所望の描画色を得ることができる。
【図面の簡単な説明】
【００４６】
【図１】この発明の一実施例による画面照度調整システムが構築されるミキサ装置のハードウエア構成ブロック図である。
【図２】この発明の一実施例によるミキサ装置の画面照度調整システムにおけるＬＣＤバックライトの明るさと利用されるパレットとの対応関係を説明するための図である。
【図３】この発明の一実施例によるバックライトの明るさ変更時の動作例を表わすフローチャートである。
【符号の説明】
【００４７】
ＰＬ  複数のパレットＰＬ１〜ＰＬ３から成る描画制御用配色パレット、
ＣＨ  色合い制御データ、
ＬＭ  輝度制御データ、
１０ａ  明るさ変更操作子（ノブ）ＮＢを備える明るさ変更操作部、
１１ａ  バックライトＢＬを備えるＬＣＤ（液晶ディスプレイ）。
【図１】
2006178131.tif 000003
【図２】
2006178131.tif 000004
【図３】
2006178131.tif 000005